(57)【要約】【課題】従来より高さ寸法が小さく、その高さ寸法近くまで冠水しても雨水の流入を防止できる通気蓋用の通気自在なキャップ装置を提供する。【解決手段】天板の裏面に２ａに複数の脚片２ｂが形成されたキャップ２と、収容凹部３ａの底から筒部３ｂが下方へ突設されたキャップ基体３とからなる通気蓋用キャップ装置１であって、キャップ２の脚片２ｂがキャップ基体３の筒部３ｂに嵌着されてキャップ２の天板２ａがキャップ基体３の収容凹部３ａの底面３ｄから浮いた状態で収容凹部３ａに収容されており、且つ、キャップの天板２ａとキャップ基体の収容凹部３ａの内側面との間に通気間隙５が形成された構成とする。通気間隙５が通気蓋用キャップ装置１の上面に開口するため、該装置１の高さ寸法Ｈ近くまで冠水しても通気間隙５から雨水が流入することはない。【選択図】図４
2005097918.tif 000002
【特許請求の範囲】
【請求項１】
天板の裏面に複数の脚片が形成されたキャップと、収容凹部の底から筒部が下方へ突設されたキャップ基体とからなる通気蓋用キャップ装置であって、キャップの脚片がキャップ基体の筒部に嵌着されてキャップの天板がキャップ基体の収容凹部の底面から浮いた状態で該収容凹部に収容されており、且つ、キャップの天板とキャップ基体の収容凹部の内側面との間に通気間隙が形成されていることを特徴とする通気蓋用キャップ装置。
【請求項２】
キャップ基体の筒部の上端が収容凹部の底面よりも上方に突出し、キャップの脚片に形成された段部が該筒部の上端に係止されて、キャップの天板がキャップ基体の収容凹部の底面から浮いた状態で該収容凹部に収容されている、請求項１に記載の通気蓋用キャップ装置。
【請求項３】
キャップ基体の収容凹部が円形の凹部に形成されると共に、キャップの天板が収容凹部の直径よりも小さな直径を有する円形板から外向きに複数の突片を突設した突片付きの円形板に形成されて、突片の先端がキャップ本体の収容凹部の内側面に近接している、請求項１又は請求項２に記載の通気蓋用キャップ装置。
【請求項４】
キャップ基体の上面が収容凹部から外縁に近づくほど低くなるように傾斜し、突片付きの円形板に形成されたキャップの天板の上面がキャップ基体の収容凹部の周りの上面と同じ高さになっており、突片の先端縁を除くキャップの天板の外縁部に堤部が形成されている、請求項３に記載の通気蓋用キャップ装置。
【発明の詳細な説明】
【技術分野】
【０００１】
本発明は、高さ寸法が小さく、高さ寸法近くまで冠水しても水の流入を防止できる通気蓋用キャップ装置に関する。
【背景技術】
【０００２】
図６に示すように、屋外の地中に配管された排水本管１０と、屋内の洗面器１１等から水を排出する排水枝管１２との接続箇所には、通常、合成樹脂製の排水桝１３が設置される。そして、臭気が排水本管１０から排水枝管１２を通じて屋内に逆流しないように、排水枝管１２と排水桝１３の間にはＵ字トラップ１４が設けられ、更に洗面器１１等の直下の排水枝管にもＳ字トラップ１５が設けられる。
【０００３】
上記のようにＵ字トラップ１４とＳ字トラップ１５を設けることによって二重トラップ状態になると、洗面器１１等から排水が行われたとき、双方のトラップ１４，１５の間の排水枝管１１内の空気が圧縮されて水がスムーズに流れ難くなったり、排水終了直後に減圧されてＳ字トラップ１５の封水が破壊されたりするといった不都合が生じる。このような不都合は、洗面器１１等の直下にＳ字トラップ以外の形状、構造のトラップを設けた場合も同様に生じる。そこで、この不都合をなくすため、Ｕ字トラップ１４から上方に延びる掃除管１６の上端開口に通気自在な通気蓋１７を被せて、双方のトラップ１４，１５の間の排水枝管の空気圧の変動を抑制する対策が取られている。
【０００４】
このような通気蓋としては、特開平９−３２８７９３号公報に記載されたものが知られている。この通気蓋は、蓋体に空気抜き体を重ねて蓋体の中央孔に取付けたものであって、空気抜き体の内部にはＴ字形の通気路が形成されている。このＴ字形の通気路は、雨が入らないように左右両端が空気抜き体の側面に開口している。
【０００５】
しかしながら、上記の空気抜き体は、通気路の左右両端が空気抜き体の側面に開口しているため、大雨が降ると通気路を越える高さまで冠水しやすく、冠水すると雨水が通気路の左右両端から大量に流入するという問題があった。このように雨水が流入すると、土も雨水と共に通気路に侵入するため、通気路が土で詰まりやすいという問題もあった。これらの問題を解決するには、空気抜き体の高さ寸法を大きくして通気路の位置を高くすればよいが、空気抜き体の高さ寸法を大きくすると、歩行者が空気抜き体につまずきやいという問題があった。
【特許文献１】特開平９−３２８７９３号公報
【発明の開示】
【発明が解決しようとする課題】
【０００６】
本発明は上記の問題に対処すべくなされたもので、従来の空気抜き体よりも高さ寸法が小さく、その高さ寸法近くまで冠水しても雨水の流入を防止できる通気蓋用の通気自在なキャップ装置を提供することを解決課題とする。
【課題を解決するための手段】
【０００７】
上記の課題を解決するため、本発明の通気蓋用キャップ装置は、天板の裏面に複数の脚片が形成されたキャップと、収容凹部の底から筒部が下方へ突設されたキャップ基体とからなる通気蓋用キャップ装置であって、キャップの脚片がキャップ基体の筒部に嵌着されてキャップの天板がキャップ基体の収容凹部の底面から浮いた状態で該収容凹部に収容されており、且つ、キャップの天板とキャップ基体の収容凹部の内側面との間に通気間隙が形成されていることを特徴とするものである。
【０００８】
本発明の通気蓋用キャップ装置においては、キャップ基体の筒部の上端がキャップ基体の収容凹部の底面よりも上方に突出し、キャップの脚片に形成された段部が該筒部の上端に係止されて、キャップの天板がキャップ基体の収容凹部の底面から浮いた状態で該収容凹部に収容されていることが望ましい。そして、キャップ基体の収容凹部が円形の凹部に形成されると共に、キャップの天板が収容凹部の直径よりも小さな直径を有する円形板から外向きに複数の突片を突設した突片付きの円形板に形成されて、突片の先端がキャップ本体の収容凹部の内側面に近接していることが望ましい。更に、キャップ基体の上面が収容凹部から外縁に近づくほど低くなるように傾斜し、突片付きの円形板に形成されたキャップの天板の上面がキャップ基体の収容凹部の周りの上面と同じ高さになっており、突片の先端縁を除くキャップの天板の外縁部に堤部が形成されていることが望ましい。
【発明の効果】
【０００９】
本発明の通気蓋用キャップ装置は、キャップの天板とキャップ基体の収容凹部の内側面との間に形成された通気間隙と、キャップの天板とキャップ基体の収容凹部の底面との間の空間と、キャップの脚片相互の空間と、キャップ基体の筒部の内部空間とが、互いに連続して空気の流通自在な通気路を形成するため、この通気路を通じて空気が自由に出入りする。この通気路の上端は、キャップの天板とキャップ基体の収容凹部の内側面との間の通気間隙であって、通気蓋用キャップ装置の上面に開口しているため、通気蓋用キャップ装置の高さ寸法（キャップ基体の筒部を除いた高さ寸法を意味する、以下同じ）近くまで冠水しても、上面に開口する通気間隙から雨水が流入することはない。従って、従来の空気抜き体に比べると通気蓋用キャップ装置の高さ寸法を小さくすることができ、例えば社団法人日本下水道協会規格の冠水１０ｍｍに対する防水性能を確保する場合には、通気蓋用キャップ装置の高さ寸法を１０ｍｍよりも若干大きくするだけでよい。このように本発明の通気蓋用キャップ装置は高さ寸法を小さくできるので、歩行者がつまずく心配は軽減される。
【００１０】
また、本発明の通気蓋用キャップ装置のようにキャップとキャップ基体の二つの部材で構成されていると、キャップの天板とキャップ基体の収容凹部の内側面との間の通気間隙から土砂等が収容凹部に入った場合でも、キャップをキャップ基体から取り外して収容凹部や通気路の掃除を簡単に行うことができる。
【００１１】
次に、本発明の通気蓋用キャップ装置において、キャップ基体の筒部の上端が収容凹部の底面よりも上方に突出し、キャップの脚片に形成された段部が該筒部の上端に係止されて、キャップの天板がキャップ基体の収容凹部の底面から浮いた状態で該収容凹部に収容されているものは、キャップに荷重が作用しても、脚片の段部が筒部の上端に係止されているため、キャップの天板がキャップ基体の収容凹部に押し込まれて収容凹部の底面に重なり通気路を閉塞する心配はない。そして、キャップ基体の筒部の上端が収容凹部の底面よりも上方に突出していると、この筒部と収容凹部の内側面との間に環状溝が形成されることになるため、キャップの天板と収容凹部の内側面との間の通気間隙から少量の雨滴や塵埃が入っても、キャップ装置を通過しないように上記の環状溝で受け止めることができる。
【００１２】
また、本発明の通気蓋用キャップ装置において、キャップ基体の収容凹部が円形の凹部に形成されると共に、キャップの天板が収容凹部の直径よりも小さな直径を有する円形板から外向きに複数の突片を突設した突片付きの円形板に形成されて、該突片の先端がキャップ本体の収容凹部の内側面に近接しているものは、キャップの天板とキャップ基体の収容凹部の内側面との間に形成される通気間隙の平面形状が円弧状となるため、その上に物を落すようなことがあっても通気間隙に物が嵌まり込みにくくなる。
【００１３】
更に、本発明の通気蓋用キャップ装置において、キャップ基体の上面が収容凹部から外縁に近づくほど低くなるように傾斜し、突片付きの円形板に形成されたキャップの天板の上面がキャップ基体の収容凹部の周りの上面と同じ高さにされ、突片の先端縁を除くキャップの天板の外縁部に堤部が形成されたものは、キャップの天板に降り注いだ雨水が堤部によって通気間隙に入らないように突片の方へ導かれ、突片の上面を通ってキャップ基体の傾斜した上面を流れ落ちるため、通気間隙に入る雨の量を大幅に減少させることができる。
【発明を実施するための最良の形態】
【００１４】
以下、図面を参照して本発明の最良の実施形態を詳述するが、本発明はこの実施形態のみに限定されるものではない。
【実施例１】
【００１５】
図１は本発明の一実施形態に係る通気蓋用キャップ装置と通気蓋を示す分解斜視図、図２は同キャップ装置を取付けた通気蓋の斜視図、図３は図２のＡ−Ａ線に沿った拡大断面図、図４は図２のＢ−Ｂ線に沿った拡大断面図、図５は同キャップ装置の分解断面図である。
【００１６】
この通気蓋用キャップ装置１は、合成樹脂製のキャップ２と合成樹脂製のキャップ基体３とからなるものであって、キャップ２は、その天板２ａの裏面に一対の脚片２ｂ，２ｂが形成されている。そして、円形のキャップ基体３は、その中央に円形の収容凹部３ａが形成され、この収容凹部３ａの底から筒部３ｂが下方へ突設されている。また、このキャップ装置１を取付ける通気蓋４は、その中央にキャップ基体３の筒部３ｂを嵌着する孔４ａが形成されている。
【００１７】
キャップ基体３の筒部３ｂは、図５に示すように、その上端３ｃが収容凹部３ａの底面３ｄよりも上方に突出し、この筒部３ｂの上端３ｃと収容凹部３ａの内側面３ｅとの間が浅い環状溝３ｆになっている。そして、この筒部３ｂの上部内周面には、内側へ突出する山形の断面形状を備えた被係合凸部３ｇが形成されている。
【００１８】
一方、キャップ２の脚片２ｂ，２ｂは、キャップ基体３の筒部３ｂに嵌合できるように相対向して円弧状に形成されており、図５に示すように、それぞれの脚片２ｂの外面には、上記筒部３ｂの被係合凸部３ｇに下方から係合する山形の断面形状を備えた係合凸部２ｃが形成されている。そして、この係合凸部２ｃより上側の脚片２ｂの外面には、段部２ｄが形成されている。
【００１９】
このキャップ２は、図３，図４に示すように、一対の脚片２ｂ，２ｂをキャップ基体３の筒部３ｂに嵌め込んで、それぞれの脚片２ｂの係合凸部２ｃを筒部３ｂの被係合凸部３ｇに下方から係合させると共に、それぞれの脚片２ｃの段部２ｄを筒部３ｂの上端３ｃに係止させることによって、キャップ２の天板２ａがキャップ基体３の収容凹部３ａの底面３ｄや筒部３ｂの上端３ｃから浮いた状態で収容凹部３ａに収容されている。従って、キャップ２に荷重が作用しても、脚片の段部２ｄが筒部３ｂの上端に係止しているので、天板２ａが収容凹部３ａに押し込まれる心配はなく、また、キャップ２に引抜き方向の小さな外力を加えても、係合凸部２ｃが被係合凸部３ｇに下方から係合しているのでキャップ２が外れることはない。但し、キャップ２に引抜き方向の大きい外力を加えると、係合凸部２ｃと被係合凸部３ｇの係合が外れてキャップを引き抜くことが可能である。
【００２０】
図１に示すように、キャップ２の天板２ａは、キャップ基体３の円形の収容凹部３ａの直径よりも小さな直径を有する円形板２ｅから外向きに二つの突片２ｆ，２ｆを突設した突片付きの円形板に形成されている。そして、この天板２ａを図２に示すように収容凹部３ａに収容した状態では、双方の突片２ｆ，２ｆの凸曲した先端面が収容凹部３ａの内側面に近接し、天板２ａの円形板２ｅの外周面と収容凹部３ａの内側面との間に円弧状の平面形状を備えた通気間隙５，５が形成されることになる。このように通気間隙５，５が円弧状に形成されると、その上に物を落とした場合でも、通気間隙に嵌まり込みにくいという利点がある。
【００２１】
突片付きの円形板に形成された天板２ａの上面は、キャップ基体３の収容凹部３ａの周りの上面と同じ高さになっており、突片２ｆ，２ｆを先端縁を除くキャップの天板２ａの外縁部には堤部２ｇが形成されている。そして、キャップ基体３の上面３ｈは、中央の収容凹部３ａから外縁に近づくほど低くなるように傾斜している。従って、キャップの天板２ａに降り注いだ雨水は、堤部２ｇによって上記の通気間隙５，５に入らないように突片２ｆ，２ｆの方へ導かれ、突片２ｆ，２ｆの上面を通ってキャップ基体３の傾斜した上面３ｈを流れ落ちることになる。
【００２２】
尚、２ｈは天板２ａの外周面に形成されたドライバー挿入用の凹部であり、この凹部２ｈからドライバーを挿入してキャップ２に引抜き方向の力を加えると、既述したようにキャップ２をキャップ基体３の収容凹部３ａから引き抜くことができるようになっている。
【００２３】
この実施形態の通気蓋用キャップ装置１は、図３、図４に示すように、上記キャップ２の脚片２ｂ，２ｂを上記キャップ基体３の筒部３ｂに嵌め込んで、キャップ２の天板２ａをキャップ基体３の収容凹部３ａの底面３ｄや筒部の上端３ｃから浮かせた状態で収容凹部３ａに収容し、天板２と収容凹部３ａの内側面３ｅとの間に円弧状の通気間隙５，５を形成したものであって、図４に示すように、上記の通気間隙５，５と、収容凹部３ａの底面３ｄ等と天板２ａとの間の空間と、脚片２ｂ，２ｂの相互空間と、筒部３ｂの内部空間とが互いに連続して空気の流通自在な通気路を形成する。従って、この通気蓋用キャップ装置１を通気蓋４の上に重ね、キャップ基体３の筒部３ｂを通気蓋４の中央の孔４ａに嵌合して通気蓋用キャップ装置１を取付けた通気蓋４を、図６に示す従来の通気蓋１７に代えて掃除管１６の上端開口に被着すると、排水枝管１２の内部空気圧が上昇しそうになれば通気蓋用キャップ装置１の上記通気路を通じて空気を外部へ放出し、逆に、排水枝管１２の内部空気圧が減少しそうになれば空気を吸い込んで、排水枝管１２の内部空気圧の変動を抑えるため、水の流れがスムーズになると共に、Ｓ字トラップ１５の封水破壊を防止することができる。
【００２４】
この通気蓋用キャップ装置１の通気路の上端は、上記の通気間隙５，５であって、通気蓋用キャップ装置１の上面に開口しているため、図４に示すように、キャップ基体の筒部３ｂを除いた通気蓋用キャップ装置の高さ寸法Ｈ（換言すれば筒部３ｂを除いたキャップ基体３の厚み寸法）近くまで冠水しても、上面に開口する通気間隙５，５から雨水が流入することはない。従って、従来の空気抜き体に比べると通気蓋用キャップ装置１の高さ寸法Ｈを相当小さくすることが可能となり、既述したように社団法人日本下水道協会規格の冠水１０ｍｍに対する防水性能を確保する場合には、高さ寸法Ｈを１０ｍｍよりも若干大きくするだけでよい。このように本発明の通気蓋用キャップ装置１は高さ寸法Ｈを小さくできるので、歩行者がつまずく危険性を減少することができる。
【００２５】
しかも、この通気蓋用キャップ装置１は、キャップ２とキャップ基体３の二つの部材で構成され、キャップ基体の収容凹部３ａの底には前述した環状溝３ｆが形成されているため、通気間隙５，５から多少の雨滴や土砂等が収容凹部３ａに入っても環状溝３ｆで受け止めることができ、既述したようにキャップ２をキャップ基体３から取り外して、収容凹部３ａや通気路の掃除を簡単に行うことができる。従って、メンテナンスも容易である。
【００２６】
また、キャップ２の脚片２ｂ，２ｂに形成された段部２ｄがキャップ基体３の筒部３ｂの上端３ｃに係止され、キャップの天板２ａがキャップ基体３の収容凹部３ａの筒部上端３ｃや底面３ｄから浮いた状態で収容凹部３ａに収容されているため、キャップに２に荷重が作用しても、キャップの天板２ａがキャップ基体の収容凹部３ａに押し込まれて収容凹部３ａの筒部上端３ｃや底面３ｄに重なり通気路が閉塞される心配はない。そして、キャップ２の天板２ａに降り注いだ雨水は、堤部２ｇによって通気間隙５，５に入らないように突片２ｆ，２ｆの方へ導かれ、該突片２ｆ，２ｆの上面を通ってキャップ基体３の傾斜した上面３ｈを流れ落ちるため、通気間隙５，５から入る雨の量を大幅に減少させることができる。
【図面の簡単な説明】
【００２７】
【図１】本発明の一実施形態に係る通気蓋用キャップ装置と通気蓋を示す分解斜視図である。
【図２】同キャップ装置を取付けた通気蓋の斜視図である。
【図３】図２のＡ−Ａ線に沿った拡大断面図である。
【図４】図２のＢ−Ｂ線に沿った拡大断面図である。
【図５】同キャップ装置の分解断面図である。
【図６】同キャップ装置を取付けた通気蓋の使用例の説明図である。
【符号の説明】
【００２８】
１    通気蓋用キャップ装置
２    キャップ
２ａ  キャップの天板
２ｂ  キャップの脚片
２ｄ  脚片の段部
２ｅ  天板の円形板
２ｆ  天板の突片
２ｇ  天板の堤部
３    キャップ基体
３ａ  収容凹部
３ｂ  筒部
３ｃ  筒部の上端
３ｄ  収容凹部の底面
３ｅ  収容凹部の内側面
３ｆ  収容凹部の環状溝
３ｈ  キャップ基体の上面
４    通気蓋
【図１】
2005097918.tif 000003
【図２】
2005097918.tif 000004
【図３】
2005097918.tif 000005
【図４】
2005097918.tif 000006
【図５】
2005097918.tif 000007
【図６】
2005097918.tif 000008